(57)【特許請求の範囲】
【請求項１】
信号雑音比又は電波強度を測定する手段と、
測定した信号雑音比又は電波強度の値と、ハンドオーバの実行基準となるハンドオーバ閾値とを比較し、前記信号雑音比又は電波強度の値が前記ハンドオーバ閾値以下の場合にアクセスポイントの検索を行い、前記ハンドオーバ閾値より大きい信号雑音比又は電波強度の値を有するアクセスポイントにハンドオーバを行うハンドオーバ実行手段と、
前記ハンド実行手段によりハンドオーバを行ったときに、該ハンドオーバの前後の信号雑音比または電波強度の差を求め、その差が一定レベルよりも大きい場合に前記ハンドオーバ閾値を上げるハンドオーバ閾値制御手段と、
一定時間内に実行された前記アクセスポイントの検索の回数をカウントするカウンタと、を有し、
前記ハンドオーバ閾値制御手段は前記アクセスポイントの検索の回数が一定回数を超えたときに、前記ハンドオーバ閾値を下げる無線ＬＡＮ移動局。
【請求項２】
前記ハンドオーバ閾値の上限が設定されている請求項１に記載の無線ＬＡＮ移動局。
【請求項３】
前記ハンドオーバ閾値の下限が設定されている請求項１又は２に記載の無線ＬＡＮ移動局。
【請求項４】
請求項１から３のいずれか１項に記載の無線ＬＡＮ移動局と、前記無線ＬＡＮ移動局と無線通信を行う複数の無線ＬＡＮ基地局とを備えた無線ＬＡＮシステム。
【請求項５】
信号雑音比又は電波強度を測定し、測定した信号雑音比又は電波強度の値と、ハンドオーバの実行基準となるハンドオーバ閾値とを比較し、前記信号雑音比又は電波強度の値が前記ハンドオーバ閾値以下の場合にアクセスポイントの検索を行い、前記ハンドオーバ閾値より大きい信号雑音比又は電波強度の値を有するアクセスポイントにハンドオーバを行うハンドオーバ制御方法において、
ハンドオーバを行ったときに、該ハンドオーバの前後の信号雑音比または電波強度の差を求め、その差が一定レベルよりも大きい場合に前記ハンドオーバ閾値を上げ、
一定時間内に実行された前記アクセスポイントの検索の回数をカウントし、前記アクセスポイントの検索の回数が一定回数を超えたときに、前記ハンドオーバ閾値を下げることを特徴とするハンドオーバ制御方法。
【請求項６】
前記ハンドオーバ閾値の上限が設定されている請求項５に記載のハンドオーバ制御方法。
【請求項７】
前記ハンドオーバ閾値の下限が設定されている請求項５又は６に記載のハンドオーバ制御方法。
【請求項８】
無線ＬＡＮ移動局として機能させるコンピュータに、
測定した信号雑音比又は電波強度の値と、ハンドオーバの実行基準となるハンドオーバ閾値とを比較する手順と、
前記信号雑音比又は電波強度の値が前記ハンドオーバ閾値以下の場合にアクセスポイントの検索を行い、前記ハンドオーバ閾値より大きい信号雑音比又は電波強度の値を有するアクセスポイントにハンドオーバを行う手順と、
該ハンドオーバの前後の信号雑音比または電波強度の差を求め、その差が一定レベルよりも大きい場合に前記ハンドオーバ閾値を上げる手順と、
一定時間内に実行された前記アクセスポイントの検索の回数をカウントし、前記アクセスポイントの検索の回数が一定回数を超えたときに、前記ハンドオーバ閾値を下げる手順と、
を実行させることを特徴とするコンピュータプログラム。
【発明の詳細な説明】
【技術分野】
【０００１】
本発明は、無線ＬＡＮ移動局、無線ＬＡＮシステム、ハンドオーバ制御方法およびコンピュータプログラムに係り、特に測定した信号雑音比又は電波強度の値と、ハンドオーバの実行基準となるハンドオーバ閾値とを比較し、信号雑音比又は電波強度の値がハンドオーバ閾値以下の場合にアクセスポイントの検索を行ってハンドオーバを行う無線ＬＡＮ移動局、無線ＬＡＮシステム、ハンドオーバ制御方法およびコンピュータプログラムに関する。
【背景技術】
【０００２】
無線ＬＡＮの通信パラメータは、使用する環境のサイトサーベイを行い、その結果に基づいて設定される。アクセスポイントが複数ある広い場所で通信を安定させるには、場所により電波環境が異なり、使用する場所により、適切な値を設定する。装置の入れ替え、装置を使用する環境のレイアウト変更があると、都度装置の設定を確認することが求められる。
【０００３】
ハンドオーバ閾値は、通信する環境をサイトサーベイしてＳＮＲ（Ｓｉｇｎａｌ−ｔｏ−Ｎｏｉｓｅ  Ｒａｔｉｏ，信号雑音比）または電波強度を測定して、環境に適した値を予め装置に設定しておく。
【０００４】
通信中に装置はＳＮＲまたは電波強度を検出して、検出した値が、ハンドオーバ閾値よりも下回る場合は、周辺のアクセスポイントの検索処理を開始する。検索した結果、ＳＮＲまたは電波強度が強いアクセスポイントを見つけた場合は、アクセスポイントを切り替える。アクセスポイントが見つからない場合は、再度検索処理を実行する。
【０００５】
ハンドオーバ閾値の設定に関する技術は、以下の特許文献１〜特許文献６に記載されている。
【０００６】
特許文献１には、無線ＬＡＮ電波の受信電力を予め定めた閾値ＴＨ１、ＴＨ２と比較し、現在通話している通信機能から他の通信機能に移行する必要があると判断したときに、公衆回線による通信と無線ＬＡＮによる通信との切替えを問い合わせ、ユーザから切替えの承認があったときに現在通信中の通信機能から他の通信機能に切替えるハンドオーバ方式が記載されている。これらの閾値は予め定められた値である。
【０００７】
特許文献２には、アクセスポイントは他のアクセスポイントから受信した信号強度を検知し、予め定義された尺度を用いて、少なくとも１つの検知された信号の受信信号強度に基づいてキャリア検出閾値を確立し、その後ディファー閾値及びハンドオーバ閾値を確立し、それらの通信パラメータをネットワーク・ステーションに同報することの記載がある。特許文献２では、アクセスポイントがハンドオーバ閾値を含めた通信パラメータを確立して、装置側に通知する。装置側は通知された値に基づいて動作を行っている。
【０００８】
特許文献３には、接続しているアクセスポイントのビーコンクオリティーが閾値以下となった場合にその時点で最も通信環境の良い隣接アクセスポイントに対して直ちに加入動作を行うことにより、極めて短時間にハンドオーバを行うことができる高速ハンドオーバ方法が記載されている。ここでは閾値の調整は行われていない。
【０００９】
特許文献４には、複数のアクセスポイントを設けた無線ＬＡＮで、移動する端末が加入しているアクセスポイントから他のアクセスポイントの高速ハンドオーバを行い得る無線ＬＡＮの高速ハンドオーバ方法、アクセスポイント及び移動端末の記載がある。特許文献４に記載されているのは、ステーション間で状態を共有して最適なアクセスポイントにハンドオーバする方法である。
【００１０】
特許文献５には、異なるタイプの無線ネットワークの間での改善された垂直ハンドオフのシステムおよび方法の記載がある。
【００１１】
特許文献６には、単位時間当たりのハンドオーバの実行回数を計測し、その計測したハンドオーバの実行回数に応じて、ハンドオーバの実行基準となる閾値を変更することの記載がある。
【先行技術文献】
【特許文献】
【００１２】
【特許文献１】特開2007-143038号公報
【特許文献２】特開2004-007504号公報
【特許文献３】特開2002-026931号公報
【特許文献４】特開2001-094572号公報
【特許文献５】特表2006-519570号公報
【特許文献６】特開2007-251654号公報
【発明の概要】
【発明が解決しようとする課題】
【００１３】
複数のアクセスポイントが設置されている広い環境では、場所により電波環境が異なるため、使用する環境に合わせてハンドオーバ閾値を設定し、装置の入れ替え、環境のレイアウト変更があると、その都度変更することが求められる。設定値が適切でない場合、例えば、ハンドオーバ閾値が高い場合、周辺アクセスポイントの検索が頻繁に実行されるため、通信に時間がかかり、通信品質が劣化することになる。また、ハンドオーバ閾値が低いと、近くにＳＮＲまたは電波強度が強いアクセスポイントがあってもハンドオーバ閾値よりも上回る場合はアクセスポイントの切り替えが実行されないため、安定した通信環境を保つことができなくなる。
【課題を解決するための手段】
【００１４】
本発明に係る無線ＬＡＮ移動局は、信号雑音比又は電波強度を測定する手段と、
測定した信号雑音比又は電波強度の値と、ハンドオーバの実行基準となるハンドオーバ閾値とを比較し、前記信号雑音比又は電波強度の値が前記ハンドオーバ閾値以下の場合にアクセスポイントの検索を行い、前記ハンドオーバ閾値より大きい信号雑音比又は電波強度の値を有するアクセスポイントにハンドオーバを行うハンドオーバ実行手段と、
前記ハンド実行手段によりハンドオーバを行ったときに、該ハンドオーバの前後の信号雑音比または電波強度の差を求め、その差が一定レベルよりも大きい場合に前記ハンドオーバ閾値を上げるハンドオーバ閾値制御手段と、
一定時間内に実行された前記アクセスポイントの検索の回数をカウントするカウンタと、を有し、
前記ハンドオーバ閾値制御手段は前記アクセスポイントの検索の回数が一定回数を超えたときに、前記ハンドオーバ閾値を下げる無線ＬＡＮ移動局である。
【００１５】
本発明に係るハンドオーバ制御方法は、信号雑音比又は電波強度を測定し、測定した信号雑音比又は電波強度の値と、ハンドオーバの実行基準となるハンドオーバ閾値とを比較し、前記信号雑音比又は電波強度の値が前記ハンドオーバ閾値以下の場合にアクセスポイントの検索を行い、前記ハンドオーバ閾値より大きい信号雑音比又は電波強度の値を有するアクセスポイントにハンドオーバを行うハンドオーバ制御方法において、
ハンドオーバを行ったときに、該ハンドオーバの前後の信号雑音比または電波強度の差を求め、その差が一定レベルよりも大きい場合に前記ハンドオーバ閾値を上げ、
一定時間内に実行された前記アクセスポイントの検索の回数をカウントし、前記アクセスポイントの検索の回数が一定回数を超えたときに、前記ハンドオーバ閾値を下げることを特徴とする。
【００１６】
本発明に係るコンピュータプログラムは、無線ＬＡＮ移動局として機能させるコンピュータに、
測定した信号雑音比又は電波強度の値と、ハンドオーバの実行基準となるハンドオーバ閾値とを比較する手順と、
前記信号雑音比又は電波強度の値が前記ハンドオーバ閾値以下の場合にアクセスポイントの検索を行い、前記ハンドオーバ閾値より大きい信号雑音比又は電波強度の値を有するアクセスポイントにハンドオーバを行う手順と、
該ハンドオーバの前後の信号雑音比または電波強度の差を求め、その差が一定レベルよりも大きい場合に前記ハンドオーバ閾値を上げる手順と、
一定時間内に実行された前記アクセスポイントの検索の回数をカウントし、前記アクセスポイントの検索の回数が一定回数を超えたときに、前記ハンドオーバ閾値を下げる手順と、  を実行させることを特徴とする。
【発明の効果】
【００１７】
本発明により、ハンドオーバ閾値を自動的に調整し、利用状況に適したハンドオーバ閾値に設定することができる。即ち、ハンドオーバを頻繁に行う環境では、通信できる範囲を広げて、ハンドオーバの回数を少なくして、通信を安定させる。また、ハンドオーバポイントのＳＮＲまたは電波強度の差を検出して、ハンドオーバ閾値を上げることにより、ハンドオーバしやすくして、通信を安定させることができる。そして、本発明によれば、ハンドオーバ閾値を自動で調整、設定することにより、ハンドオーバするポイントでの通信に時間を要したり、途切れやすいといった通信状態が不安定になる問題を解決することができる。
【図面の簡単な説明】
【００１８】
【図１】本発明に係る無線ＬＡＮ移動局の一実施形態の構成を示すブロック図である。
【図２】ハンドオーバの動作を説明する説明図である。
【図３】ハンドオーバ閾値を下げる場合を説明する図である。
【図４】ハンドオーバ閾値を下げる方法を説明する図である。
【図５】ハンドオーバ閾値を上げる場合を説明する図である。
【図６】ハンドオーバ閾値を上げる方法を説明する図である。
【図７】ハンドオーバ閾値の設定フローを示すフローチャートである。
【発明を実施するための形態】
【００１９】
以下、本発明に係る典型的な実施形態について図面を用いて詳細に説明する。
【００２０】
図１は本発明に係る無線ＬＡＮ移動局の一実施形態の構成を示すブロック図である。かかる構成は、特許文献６（特開2007-251654号公報）の図５に開示された無線ＬＡＮ移動局の構成と、制御部の機能、及び検索カウンタがアクセスポイントの検索回数をカウントする点で異なる。
【００２１】
図１に示すように、無線ＬＡＮ移動局５０２は、アンテナ５０１、アンテナ５０１を介して無線ＬＡＮ基地局（アクセスポイントとなる）と情報の送受信を行う通信部５０３、通信部５０３が受信した信号の受信電波強度を測定する電波強度測定部５０４を有する。また、無線ＬＡＮ移動局５０２は、一定時間内に実行されたアクセスポイントの検索の回数をカウントする検索カウンタ５０５、ハンドオーバの実行基準となるハンドオーバ閾値、電波強度の値、通信部５０３を介して送受信される情報等を記憶する記憶部５０７、記憶部５０７に記憶するハンドオーバ値等の各種設定値を入力したり、無線ＬＡＮ移動局における各種制御を実行するためのコマンド情報を入力する操作部５０８、無線ＬＡＮ移動局５０２の各部を制御し、図７に示す動作を実行する制御部５０６を有する。制御部５０６は、ハンドオーバ実行手段、ハンドオーバ閾値制御手段として動作する。ハンドオーバ実行手段は、測定した信号雑音比又は電波強度の値と、ハンドオーバの実行基準となるハンドオーバ閾値とを比較し、信号雑音比又は電波強度の値がハンドオーバ閾値以下の場合にアクセスポイントの検索を行い、ハンドオーバ閾値より大きい信号雑音比又は電波強度の値を有するアクセスポイントにハンドオーバを行う。また、ハンドオーバ閾値制御手段は、ハンド実行手段によりハンドオーバを行ったときに、ハンドオーバの前後の信号雑音比または電波強度の差を求め、その差が一定レベルよりも大きい場合にハンドオーバ閾値を上げる。
【００２２】
本実施形態では、電波強度測定部５０４で電波強度を測定しているが、ＳＮＲ（Ｓｉｇｎａｌ−ｔｏ−Ｎｏｉｓｅ  Ｒａｔｉｏ，信号雑音比）を測定し、制御部５０６でハンドオーバの実行基準となるハンドオーバ閾値とを比較し、ＳＮＲの値がハンドオーバ閾値以下の場合にアクセスポイントの検索を行い、ハンドオーバ閾値より大きいＳＮＲの値を有するアクセスポイントにハンドオーバを行うようにしてもよい。
【００２３】
まず、ハンドオーバの動作について、図２を参照して説明する。
１０１は、無線ＬＡＮの無線ＬＡＮ基地局となるワイヤレスアクセスポイント（ＷＡＰ）を示す。１０２は、ワイヤレスアクセスポイント１０１の電波範囲を示す。１０３は、無線ＬＡＮ移動局に設定されている、ハンドオーバ閾値の範囲を示す。ハンドオーバ閾値の範囲１０３の内側において、電波強度はハンドオーバ閾値よりも上である。ハンドオーバ閾値の範囲１０３の外側において、電波強度はハンドオーバ閾値よりも下である。
【００２４】
無線ＬＡＮ移動局は、ハンドオーバ閾値の範囲１０３の外側に移動すると、周辺のアクセスポイントの検索を開始する。そして、ハンドオーバ閾値より大きい電波強度の値を有するアクセスポイントにハンドオーバを行う。
【００２５】
図３を参照して、ハンドオーバ閾値の設定が高い場合について説明する。環境Ａ（２０１）は、ハンドオーバ閾値Ａの設定が高く設定されていると通信できる範囲が狭いために、ハンドオーバ閾値よりも下回るエリア２０２で、周辺アクセスポイントの検索が頻繁に行われ、通信品質が劣化する。ハンドオーバ閾値を下げてハンドオーバ閾値Ｂにすることにより、環境Ｂ（２０３）に示すように通信できる範囲が広がり、通信品質劣化を防ぐことができる。
【００２６】
図４、図７を参照して、ハンドオーバ閾値を自動的に下げる方法について説明する。予め定められた検索監視時間内に、予め定められたアクセスポイントの検索回数が実行された時に、ハンドオーバ閾値を自動的に下げる動作について説明する。
【００２７】
ハンドオーバ閾値設定が開始されると（ステップS11）、まず制御部５０６は、記憶部５０７からハンドオーバ閾値を読込み（ステップS12）、検索監視時間を監視するために、検索開始時刻（監視時刻１）を読込み（ステップS13）、検索回数の検索カウンタ５０５をクリアする（ステップS14）。
【００２８】
そして、制御部５０６は、電波強度を取得し（ステップS15）、取得した電波強度が設定されているハンドオーバ閾値以下の場合は（ステップS16）、周辺アクセスポイントの検索を行い、電波強度の大きいアクセスポイントを検索する（ステップS17）。周辺アクセスポイントの検索は、１ｃｈから順に１４ｃｈを切換える。電波強度の大きいアクセスポイントが見つからなければ、ハンドオーバが実行されず（ステップS18のNO）、検索カウンタ５０５のカウント数をカウントアップする（ステップS19）。検索カウンタ５０５のカウント数はアクセスポイントの検索回数を示し、このカウンタ数が予め定められたアクセスポイントの検索回数の閾値以上となった場合は（ステップS20）、監視時刻２を読み込む（ステップS21）。監視時刻２と監視時刻１との差、すなわち、予め定められたアクセスポイントの検索回数の検索に要する時間が、予め定められた検索監視時間内であれば（ステップS22）、ハンドオーバ閾値を下げる（ステップS23）。
【００２９】
ステップS16からステップS23について、具体例に基づいて説明する。具体例として、アクセスポイントの検索時間に３秒かかるとする。検索監視時間を１０秒、検索回数を２回、ハンドオーバ閾値が電波強度−７５ｄＢｍに設定されていたとする。ハンドオーバ閾値よりも下回るエリアに移動したときに、アクセスポイントの検索を行うが（ステップS16、S17）、周辺にアクセスポイントが見つからない場合はハンドオーバが実行されず（ステップS18）、検索カウンタのカウント数を”１”とする（ステップS19）。この場合、検索回数は２回に達していないので、２回目の検索を開始する（ステップS17）。２回目もアクセスポイントが見つからず、ハンドオーバが実行されない場合は（ステップS18のYES）、検索カウンタのカウント数をカウントアップし、”２”とする（ステップS19）。この場合、検索回数は２回に達したので（ステップS20のYES）、監視時刻２を読み込む（ステップS21）。監視時刻２と監視時刻１との差、すなわち、１回目と２回目の所要時間が６秒で検索監視時間よりも下回るため（ステップS22のYES）、ハンドオーバ閾値を自動的に所定の値（例えば５ｄＢｍ）だけ下げて、−８０ｄＢｍとする（ステップS23）。そして、検索回数の検索カウンタをクリアし（ステップS14）、エリア２０２で電波強度を取得し（ステップS15）、取得した電波強度が設定されているハンドオーバ閾値−８０ｄＢｍよりも高ければ、アクセスポイントの検索を中止して（ステップS16のNO）、通信状態に復帰する。
【００３０】
図５を参照して、ハンドオーバ閾値の設定が低い場合について説明する。環境Ｃ（４０１）は、ハンドオーバ閾値Ｃの設定値が低いと、異なるアクセスポイントの近くに移動してもハンドオーバ閾値を上回るためハンドオーバされずに、安定した電波環境で通信を行うことができない。閾値を上げてハンドオーバ閾値Ｄにすることにより、ハンドオーバしやすくして安定した電波範囲内で安定して通信を行うことができる。
【００３１】
図６、図７を参照して、ハンドオーバ閾値を自動的に上げる方法について説明する。ＷＡＰ１の電波範囲からＷＡＰ２の電波範囲に移動した場合、ハンドオーバポイントでＷＡＰ１からＷＡＰ２に切り替えたとする（ステップS18のYES）。ハンドオーバ閾値を下げていない場合には電波強度を取得する（ステップS25）。取得したＷＡＰ２（ハンドオーバ後のアクセスポイント）での電波強度と、ＷＡＰ１（ハンドオーバ前のアクセスポイント）での電波強度とを比較する（ステップS26）。このときに、ＷＡＰ１とＷＡＰ２の電波強度の差が、予め定めた値よりも大きければハンドオーバ閾値を上げ（ステップS27,S28）、ハンドオーバ閾値設定動作を完了する（ステップS29）。具体例として、電波強度の差を１０ｄＢｍ、ハンドオーバ閾値を−８０ｄＢｍとする。ハンドオーバポイントでＷＡＰ１の電波強度が−８１ｄＢｍ、ＷＡＰ２の電波強度が−７０ｄＢｍとすると、電波強度差１０ｄＢｍを上回るため、ハンドオーバ閾値を自動的に所定の値（例えば５ｄＢｍ）だけ上げて、−７５ｄＢｍとする。これにより、ハンドオーバを開始する範囲が狭くなり、電波の強いアクセスポイントにハンドオーバしやすくなる。
【００３２】
なお、ハンドオーバ閾値に上限値と下限値を設け、上限値と下限値を超えない範囲で上記の処理を行うようにしてもよい。
【００３３】
また図７のフローチャートでは、検索カウンタは一定時間内に実行されたアクセスポイントの検索の回数をカウントしているが、実際に行われたハンドオーバの回数をカウントしてもよい。この場合は、特許文献６に開示された技術と同様に、実際に行われたハンドオーバの回数が一定回数を超えたときに、ハンドオーバ閾値を下げることになる。また、図７のフローチャートではハンドオーバが実行された場合には、検索カウンタがカウントアップされないことになるが、実際にハンドオーバが実行されたか否かに係らず、アクセスポイントの検索が行われた場合にカウントアップするようにしてもよい。
【００３４】
なお、本実施形態の無線ＬＡＮ移動局はハードウェアで構成されるが、図１に示す構成部の全部又は一部をコンピュータを用いてソフトウェアで実現することもできる。例えば、コンピュータをＣＰＵ、ＲＯＭやハードディスク等の記憶手段、アンテナ５０１、通信部５０３、記憶部５０７、操作部５０８で構成し、制御部５０６、電波強度測定部５０４、検索カウンタ５０５の動作をプログラムで記述し、このプログラムをＲＯＭやハードディスク等の記憶手段に記憶し、演算に必要な情報（ハンドオーバの実行基準となるハンドオーバ閾値，電波強度の値，通信部５０３を介して送受信される情報等）をＲＡＭ等のメモリからなる記憶部５０７に記憶し、ＣＰＵで当該プログラムを動作させることで、本実施形態の無線ＬＡＮ基地局の機能をプログラムで実現することができる。
【００３５】
上記の実施形態の一部又は全部は、以下の付記のようにも記載されうるが、以下の構成には限られない。
【００３６】
（付記１）
信号雑音比又は電波強度を測定する手段と、
測定した信号雑音比又は電波強度の値と、ハンドオーバの実行基準となるハンドオーバ閾値とを比較し、前記信号雑音比又は電波強度の値が前記ハンドオーバ閾値以下の場合にアクセスポイントの検索を行い、前記ハンドオーバ閾値より大きい信号雑音比又は電波強度の値を有するアクセスポイントにハンドオーバを行うハンドオーバ実行手段と、
前記ハンド実行手段によりハンドオーバを行ったときに、該ハンドオーバの前後の信号雑音比または電波強度の差を求め、その差が一定レベルよりも大きい場合に前記ハンドオーバ閾値を上げるハンドオーバ閾値制御手段と、
を有する無線ＬＡＮ移動局。
【００３７】
（付記２）
一定時間内に実行された前記アクセスポイントの検索の回数をカウントするカウンタを有し、前記ハンドオーバ閾値制御手段は前記アクセスポイントの検索の回数が一定回数を超えたときに、前記ハンドオーバ閾値を下げることを特徴とする付記１に記載の無線ＬＡＮ移動局。
【００３８】
（付記３）
前記ハンドオーバ閾値の上限が設定されている付記１記載の無線ＬＡＮ移動局。
【００３９】
（付記４）
前記ハンドオーバ閾値の下限が設定されている付記２記載の無線ＬＡＮ移動局。
【００４０】
（付記５）
付記１から４のいずれか１に記載の無線ＬＡＮ移動局と、前記無線ＬＡＮ移動局と無線通信を行う複数の無線ＬＡＮ基地局とを備えた無線ＬＡＮシステム。
【００４１】
（付記６）
信号雑音比又は電波強度を測定し、測定した信号雑音比又は電波強度の値と、ハンドオーバの実行基準となるハンドオーバ閾値とを比較し、前記信号雑音比又は電波強度の値が前記ハンドオーバ閾値以下の場合にアクセスポイントの検索を行い、前記ハンドオーバ閾値より大きい信号雑音比又は電波強度の値を有するアクセスポイントにハンドオーバを行うハンドオーバ制御方法において、
ハンドオーバを行ったときに、該ハンドオーバの前後の信号雑音比または電波強度の差を求め、その差が一定レベルよりも大きい場合に前記ハンドオーバ閾値を上げることを特徴とするハンドオーバ制御方法。
【００４２】
（付記７）
一定時間内に実行された前記アクセスポイントの検索の回数をカウントし、前記アクセスポイントの検索の回数が一定回数を超えたときに、前記ハンドオーバ閾値を下げることを特徴とする付記６に記載のハンドオーバ制御方法。
【００４３】
（付記８）
前記ハンドオーバ閾値の上限が設定されている付記６記載のハンドオーバ制御方法。
【００４４】
（付記９）
前記ハンドオーバ閾値の下限が設定されている付記７記載のハンドオーバ制御方法。
【００４５】
（付記１０）
無線ＬＡＮ移動局として機能させるコンピュータに、
測定した信号雑音比又は電波強度の値と、ハンドオーバの実行基準となるハンドオーバ閾値とを比較する手順と、
前記信号雑音比又は電波強度の値が前記ハンドオーバ閾値以下の場合にアクセスポイントの検索を行い、前記ハンドオーバ閾値より大きい信号雑音比又は電波強度の値を有するアクセスポイントにハンドオーバを行う手順と、
該ハンドオーバの前後の信号雑音比または電波強度の差を求め、その差が一定レベルよりも大きい場合に前記ハンドオーバ閾値を上げる手順と、
を実行させることを特徴とするコンピュータプログラム。
【産業上の利用可能性】
【００４６】
本発明は、携帯電話機、PDA (Personal Digital Assistance)、パーソナルコンピュータ等の無線通信機能を備えた情報機器、この情報機器を有する無線通信システムに適用可能である。
【符号の説明】
【００４７】
５０１  アンテナ
５０２  無線ＬＡＮ基地局
５０３  通信部
５０４  電波強度測定部
５０５  検索カウンタ
５０６  制御部
５０７  記憶部
５０８  操作部
【図１】
0005300096.tif 000002
【図２】
0005300096.tif 000003
【図３】
0005300096.tif 000004
【図４】
0005300096.tif 000005
【図５】
0005300096.tif 000006
【図６】
0005300096.tif 000007
【図７】
0005300096.tif 000008